(57)【要約】【課題】生体リズム調整に役立つディスプレイを提供する。【解決手段】  画像を表示する画像表示部に対して、光源からの光を照射することにより画像を表示する表示装置において、上記光源は生体リズムに影響を与える波長の光を発光する第１発光体を含むようにし、上記第１発光体の光量の増減の割合を他の発光体と比較して大きくするように上記第１発光体の発光強度を切り替える構成とする。上記生体リズムに影響を与える波長の光は、４４５ｎｍから４８０ｎｍまでの間に主波長を有する光であることが望ましい。【選択図】図５
2006231057.tif 000002
【特許請求の範囲】
【請求項１】
画像を表示する画像表示部に対して、光源からの光を照射することにより画像を表示する表示装置であって、
上記光源は生体リズムに影響を与える波長の光を発光する第１発光体を含み、
上記第１発光体の光量の増減の割合を他の発光体と比較して大きくするように上記第１発光体の発光強度を切り替えることを特徴とする表示装置。
【請求項２】
上記光源は、赤色光を発光する第２発光体と、緑色光を発光する第３発光体とを含んでいることを特徴とする請求項１に記載の表示装置。
【請求項３】
上記光源は、白色光を発光する白色発光体を含んでいることを特徴とする請求項１または２に記載の表示装置。
【請求項４】
画像を表示する画像表示部に対して、光源からの光を照射することにより画像を表示する表示装置であって、
上記光源は、白色光を発光する白色発光体と、生体リズムに影響を与える波長の光を発光する第１発光体とから構成され、
上記第１発光体の発光強度を、上記白色発光体と独立して切り替え可能であることを特徴とする表示装置。
【請求項５】
上記生体リズムに影響を与える波長の光は、４４５ｎｍから４８０ｎｍまでの間に主波長を有する光であることを特徴とする請求項１ないし４のいずれかに記載の表示装置。
【請求項６】
上記第１発光体の発光色に対して略補色となる光を発光する補色発光体を含んでいることを特徴とする請求項１ないし５のいずれかに記載の表示装置。
【請求項７】
上記第１発光体の発光強度に応じて、上記補色発光体の発光強度を制御することを特徴とする請求項６に記載の表示装置。
【請求項８】
上記補色発光体は、上記第１発光体と隣り合うように配置されていることを特徴とする請求項６または７に記載の表示装置。
【請求項９】
上記第１発光体の発光色に対して略補色となる光を発光する蛍光体を含んでいることを特徴とする請求項１ないし５のいずれかに記載の表示装置。
【請求項１０】
上記光源を構成する発光体のうち少なくとも１つは、発光ダイオードであることを特徴とする請求項１ないし９のいずれかに記載の表示装置。
【請求項１１】
上記光源を構成する発光体のうち少なくとも１つは、エレクトロルミネッセンスであることを特徴とする請求項１ないし９のいずれかに記載の表示装置。
【請求項１２】
上記第１発光体の発光強度を、時間情報に基づき切り替えることを特徴とする請求項1ないし１１のいずれかに記載の表示装置。
【請求項１３】
上記第１発光体の発光強度を、使用者により設定された情報である使用者指示情報に基づき切り替えることを特徴とする請求項１ないし１１のいずれかに記載の表示装置。
【請求項１４】
上記第１発光体の発光強度を、表示する画像がどのような内容の番組であるかを示す情報であるコンテンツ情報に基づき切り替えることを特徴とする請求項１ないし１１のいずれかに記載の表示装置。
【請求項１５】
上記映像信号に対する上記第１発光体の発光強度を、周囲の明るさに基づき切り替えることを特徴とする請求項１ないし１１のいずれかに記載の表示装置。
【発明の詳細な説明】
【技術分野】
【０００１】
本発明は、光が生体リズムに与える影響を考慮した表示装置に関する。
【背景技術】
【０００２】
生体は体内に計時機構を持ち、生体機能に関する周期現象を制御していることが知られている。そのような周期現象の一つとして、サーカディアンリズムと呼ばれる２４から２５時間周期のリズムがある（非特許文献１）。サーカディアンリズムを示す代表的なものとしては睡眠、覚醒、体温変化などがあり、これらのリズムを１日の周期である２４時間周期に同調させる主要因子として、社会的要因や光環境を挙げることができる。
【０００３】
現代社会においては、室内で過ごす時間が増加しているだけでなく、照明の発達により生活の夜型化が進んでおり、昼夜であまり明暗変化のない光環境となっている。このため、生体リズムが２４時間周期へ上手く同調されず、睡眠障害など健康を害する結果につながることが危惧される。健康で快適な生活を送るためには、この生体リズムの位相が周囲の時間的な流れと一致し、振幅が大きく確保されることが必要とされており、生体リズムを整えるために様々な方法が提案されている。
【０００４】
たとえば、特許文献１に記載の「生体リズム調整装置」は、被験者の直腸温などの深部体温をもとに生体リズムを測定、評価し、結果に応じて光などの刺激を与えてリズムの調整を行うものである。その具体的な構成は、図２２に示すように、生体リズムを生体リズム曲線測定手段により測定し、生体リズム曲線評価手段により理想となる生体リズムとの評価を行い、生体リズム調整装置により生体リズムの調整を行う構成である。
【０００５】
また、特許文献２に記載の「照明制御方法および照明システム」は、色温度の低い照明と色温度の高い照明とを備え、これを朝や夜などの時間帯に応じて切り替え、あるいは同時点灯を行うものである。その他にも、低照度、中照度、高照度の少なくとも３つの光発生手段を持ち、起床時間に向けて徐々に照度を上げていく、特許文献３に記載の「目覚まし装置」などが提案されている。
【０００６】
また、睡眠と覚醒とのリズムにおいては、メラトニンの分泌量が深く関係しており、覚醒時には分泌量は抑えられている。さらに、このメラトニンの分泌量には光が影響している。すなわち、波長４４０ｎｍから６００ｎｍの光に対するメラトニンの抑制度について調査したところ、特に波長４７０ｎｍ近傍の光がメラトニンの抑制効果が最も高いという実験結果が得られている（非特許文献２）。このことを利用した技術として、特許文献４に記載の「光治療器」がある。
【０００７】
このように、様々な生体リズム調整装置が提案されているが、従来の提案は室内における照明装置に関するものであり、ディスプレイなどの表示装置については考慮されていなかった。しかしながら、人間の光に関する情報はそのほとんどを視覚から得ているため、表示装置が発する光も生体リズムに影響をおよぼす。
【０００８】
特に昨今では、コンピュータの普及により、ディスプレイを用いた作業時間が多くなっている。そして、このようなＶＤＴ（Video Display Terminal）作業中には、使用者からディスプレイまでの距離が近いために、使用者の目が多くの光を受けることになり、照明の光以上にディスプレイの光の方が生体リズムに与える影響が強い。
【０００９】
また、テレビを含めた表示装置全般の光源から発せられる光は、照明光のような間接光とは異なり、使用者に直接視認される光であるので、生体リズムに与える影響が間接光よりも大きい。
【００１０】
このように、ディスプレイが生体リズムに与える影響を考慮すると、ディスプレイの光を調整する必要がある。
【特許文献１】特開平５−３９２０号公報
【特許文献２】特開２０００−２９４３８７号公報
【特許文献３】特開平７−３１８６７０号公報
【特許文献４】特開平２−３０２２７６号公報
【非特許文献１】小山恵美、「モデリングを通じた生体系特徴の時間生物学的理解」、計測と制御  第４１巻  第１０号、２００２年１０月
【非特許文献２】「Action Spectrum for Melatonin Regulation in Humans:Evide-nce for a Novel Circadian Photoreceptor」、The Journal of Neuroscience、August  15、2001
【発明の開示】
【発明が解決しようとする課題】
【００１１】
本発明は、上記従来の問題点に鑑みなされたものであって、その目的は、生体リズムを調整可能な表示装置を提供することにある。
【課題を解決するための手段】
【００１２】
上記課題を解決するため、本発明は、画像を表示する画像表示部に対して、光源からの光を照射することにより画像を表示する表示装置であって、上記光源は生体リズムに影響を与える波長の光を発光する第１発光体を含み、上記第１発光体の光量の増減の割合を他の発光体と比較して大きくするように上記第１発光体の発光強度を切り替える構成とした。
【００１３】
上記光源は、赤色光を発光する第２発光体と、緑色光を発光する第３発光体とを含むか、白色光を発光する白色発光体を含むようにすればよい。
【００１４】
また、画像を表示する画像表示部に対して、光源からの光を照射することにより画像を表示する表示装置であって、上記光源は、白色光を発光する白色発光体と、生体リズムに影響を与える波長の光を発光する第１発光体とから構成され、上記第１発光体の発光強度を、上記白色発光体と独立して切り替え可能としてもよい。
【００１５】
上記生体リズムに影響を与える波長の光は、４４５ｎｍから４８０ｎｍまでの間に主波長を有する光であることが好ましい。
【００１６】
上記第１発光体の発光色に対して略補色となる光を発光する補色発光体を含んでいれば、色度を略一定にすることができ有効である。
【００１７】
その場合、上記第１発光体の発光強度に応じて、上記補色発光体の発光強度を制御するようにすればよい。
【００１８】
そして、上記補色発光体は、上記第１発光体と隣り合うように配置されていることが好ましい。
【００１９】
色度をなるべく一定に保つために、上記第1発光体の発光色に対する略補色となる補色発行体を含めるのではなく、上記第１発光体の発光色に対して略補色となる光を発光する蛍光体を含めてもよい。
【００２０】
上記光源を構成する発光体のうち少なくとも１つは、例えば発光ダイオードであるか、エレクトロルミネッセンスであることが考えられる。
【００２１】
上記第１発光体の発光強度を、時間情報や、使用者により設定された情報である使用者指示情報や、表示する画像がどのような内容の番組であるかを示す情報であるコンテンツ情報や、周囲の明るさに基づき切り替える構成とすれば使用者に応じた細かな制御が可能である。
【発明の効果】
【００２２】
本発明によれば、生体リズムを調整可能な表示装置を提供することができる。
【発明を実施するための最良の形態】
【００２３】
〔実施の形態１〕
以下、図１を参照して、本発明の表示装置に係る実施形態の１つを説明する。図１（ａ）に示すように、本実施の形態の表示装置１は、画像などの情報を表示する有機ＥＬ（エレクトロルミネッセンス）パネル２（画像表示部）と、有機ＥＬパネル２における各画素に付与する電流を制御する制御手段３と、現在の時刻を示す時刻情報を制御手段３に出力する時刻出力手段４から構成される。
【００２４】
有機ＥＬパネル２は多数のセルで構成されるものである。各セルは、図１（ｂ）に示すように、ガラス基板５と、陽極６と、赤色に発光する有機層（第２発光体）７と、緑色に発光する有機層（第３発光体）８と、主波長が４６４ｎｍ近傍となる光を発する有機層（第１発光体）９と、陰極１０とで構成される。
【００２５】
ここで、「主波長」の意味について説明する。図２に示すように、ＸＹＺ表色系におけるｘ、ｙ座標が（ｘ、ｙ）＝（１／３、１／３）の白色点Ｗと、発光体から発せられる光の色度点Ｆとを結んだ直線が、スペクトル軌跡と点Ｄにおいて交わるとする。色度点Ｆで表される発光体の主波長とは、点Ｄにより表される光の単色光刺激の波長を意味している。  なお、図２において、太線で表された曲線はスペクトル軌跡を表しており、スペクトル軌跡上の点はそれぞれ単色光刺激の波長を示す。また、ここで示した白色点Ｗは光源色に対する基準となる。
【００２６】
上記構成により、表示装置１は、有機ＥＬパネル２における各セルを１画素として構成し、有機層７・８・９からそれぞれ発せられる光を混色することでカラー表示を行う。
【００２７】
特に、有機層９を発光させると、主波長４６４ｎｍ近傍の光が発生するので、表示装置１の使用者のメラトニン分泌量が抑制され、使用者を覚醒する作用がもたらされる。このメラトニン分泌量の抑制効果について、以下に詳細に説明する。
【００２８】
図３は、発光波長とメラトニンの抑制効果との関係を示すグラフである。なお、図３のグラフにおいて、横軸は発光波長、縦軸はメラトニン抑制の強度を示している。
【００２９】
図３に示すように、青色にあたる波長域でメラトニン抑制効果が強いことがわかる。より具体的には、波長が４４５ｎｍから４８０ｎｍの範囲においてメラトニンの抑制効果が大きいので、有機層９をこの範囲の主波長を持つ発光体として用いることにより、使用者を覚醒する効果を容易に得ることができる。
【００３０】
特に、図３に示すように、波長４６４ｎｍの光は最もメラトニンの抑制効果が強いので、有機層９を、主波長の値が４６４ｎｍである光を発する発光体として用いることにより、使用者を覚醒する効果を最も効率的に得ることができる。もちろん、有機層９により発光される光の波長が、４４５ｎｍから４８０ｎｍの範囲にある場合でも、十分に使用者を覚醒する効果を得ることができる。
【００３１】
この覚醒作用をもたらすため、図１（ａ）に示した制御手段３は、時刻出力手段４から得た時刻情報に基づき現在時刻が日中であると判断される場合、図１（ｂ）に示す有機層９に付与する電流を上げることにより、有機層９が入力画像信号に基づき発光する光の強度を強める。これにより、有機層７〜９により発せられる光のうち、４６４ｎｍの波長成分における光量の割合が増加するので、使用者を覚醒させることが可能となる。
【００３２】
また、制御手段３は、時刻出力手段４から得た時刻情報に基づき現在時刻が夜間であると判断される場合、有機層９に付与する電流の上限を下げることにより、有機層９が入力画像信号に基づき発光する光の強度を下げる。これにより、有機層７〜９により発せられる光のうち、４６４ｎｍの波長成分における光量の割合が低減されるので、有機ＥＬパネル２により発せられる光が生体リズムに与える影響を低減することができる。
【００３３】
このように、現在時刻が日中であるか夜間であるかに応じて、制御手段３が有機層９の発光強度を制御する処理について、図４を用いてより具体的に説明する。なお、図４は、入力画像信号に対する有機層９の発光特性を表したものであり、横軸が青色の映像信号値、縦軸は発光強度を示している。
【００３４】
図４において、実線Ａで示すグラフが、生体リズムへの影響を考慮しない発光を有機層９にて行う場合の、映像信号値と発光強度との関係を示しているとする。
【００３５】
たとえば日中など、使用者を覚醒させるべき時間においては、図４中点線Ｂにより示すように、映像信号値が最大となる場合および最小となる場合の発光強度が実線Ａにて示される発光強度と変わらないよう、制御手段３を用いて有機層９の発光強度を調整する。さらに、図４中点線Ｂにて示すように、映像信号値が中間調を示す範囲において、実線Ａにて示される発光強度よりも強い発光強度にて有機層９が発光するように、制御手段３を用いて有機層９の発光強度を調整する。
【００３６】
このように制御手段３を用いて有機層９の発光強度を調整すれば、有機層７〜９により発せられる光のうち、４６４ｎｍの波長成分における光量の割合が増加するので、使用者を覚醒させることが可能となる。
【００３７】
一方、たとえば夜間など、使用者を覚醒させるべきではない時間においては、図４中点線Ｃにて示すように、映像信号値が中間調を示す範囲での有機層９の発光強度を、実線Ａにて示される発光強度よりも弱くする。これにより、有機層７〜９により発せられる光のうち、４６４ｎｍの波長成分における光量の割合が低減されるので、有機ＥＬパネル２により発せられる光が生体リズムに与える影響を低減することができる。
【００３８】
なお、図４においては、映像信号値が最大値を示す際の有機層９の発光強度は、生体リズムへの影響を考慮した発光を行うか否かに関わらず、常に一定であるように記載しているが、必ずしもこのように発光強度を設定する必要はない。
【００３９】
たとえば、生体リズムへの影響を考慮した発光を行うか否かに応じて、映像信号値が最大となる際の有機層９の発光強度を変化させるとともに、映像信号値が中間調および低階調を示す範囲においては、映像信号値と発光強度との関係が比例関係となるように設定してもよい。このように、有機層９の発光強度の特性としては、種々の特性を採用することができる。
【００４０】
なお、図１においては、理解を容易にするために各部品の大小関係を誇張して記載しているので、各部品の大きさは実際とは異なる。また、図１（ｂ）に示す有機ＥＬパネル２は、異なる３色を有機層７・８・９のそれぞれにより独立して発光するセル構造を採用しているものとして説明したが、有機ＥＬパネル２の構成は必ずしもこれに限定されるものではない。
【００４１】
たとえば、有機ＥＬパネル２は、発光体として用いる有機層が青色光などの単色光を発し、その単色光が呈する色を蛍光体により色変換する構成のものであってもよい。または、有機ＥＬパネル２は、発光体としての有機層が白色光を発し、その白色光により呈される色をフィルタによって赤、緑、青の３色に変換するカラーフィルタ方式のものであってもよい。
【００４２】
また、有機ＥＬパネル２は、有機層７・８・９の代わりに無機ＥＬを発光体として用いる構成であってもよい。さらに、有機ＥＬパネル２を、各色を発光する発光体としてＬＥＤ（発光ダイオード）を用いたＬＥＤディスプレイにより代用しても構わない。
【００４３】
また、本実施形態では時刻出力手段４が出力する時刻情報を用いて有機層９の発光強度を変化させる構成について説明したが、表示装置１の使用を開始した時からの現在まで時間を示す経過情報や、映像信号に基づき表示される映像がどのような内容の番組であるかを示すコンテンツ情報に応じて、以下のように有機層９の発光強度を制御してもよい。
【００４４】
より具体的に説明すると、経過情報に基づき有機層９の発光強度を調整する場合、制御手段３により、表示装置１の使用を開始した直後は覚醒効果がもたらされるよう有機層９の発光強度を通常よりも高く設定し、時刻の経過に従って有機層９の発光強度を下げていくようにするとよい。
【００４５】
これにより、表示装置１を用いた作業、たとえば、表示装置１により表示される文字の編集作業を使用者が開始した直後においては、有機層９の発光強度が高く設定されていることから使用者は覚醒される。よって、使用者が作業にのめりこむことができない傾向がある表示装置１を用いた作業の開始直後において、使用者の作業の効率を向上させることができる。
【００４６】
そして、表示装置１を用いた作業を開始してからある程度時間が経過すれば、使用者も自然とその作業に没頭しているので、使用者を覚醒させなくても使用者の作業効率は低下しない。したがって、時刻の経過に従って有機層９の発光強度を下げていくようにすれば、表示装置１の消費電力を低減することができる。
【００４７】
また、作業を開始して長時間が経過すると、使用者の集中力が途切れ、眠くなり作業効率が低下することもある。そこで、ある一定の時間が経過した場合は、再度有機層９の発光強度を上げてもよい。このように経過情報の使用方法も様々なパターンがある。
【００４８】
また、コンテンツ情報に基づき有機層９の発光強度を調整する場合には、映像信号に基づき表示される映像がたとえば映画であるとコンテンツ情報を用いて判断される場合、制御手段３により、有機層９の発光強度を上げて使用者を覚醒するとよい。これにより、表示装置１により表示される映画を、有機層９の発光強度を上げない場合に比べて、より印象深いものとすることができる。なお、どのような内容の映像で覚醒効果を得たいかを、使用者が予め表示装置１に設定しておくことも可能である。
【００４９】
また、表示装置１の周囲の明るさを測定する測定手段（図示せず）を表示装置１に設け、該測定手段により測定される明るさに応じて、制御手段３により有機層９の発光強度を制御してもよい。たとえば、表示装置１の周囲が明るい時は有機層９の発光強度を上げることにより使用者を覚醒する一方、周囲が暗い時は有機層９の発光強度を下げるというように、制御手段３を用いて有機層９の発光強度を調整する。
【００５０】
〔実施の形態２〕
次に、図５から９を参照して、本発明の表示装置に係るさらに他の実施形態を説明する。図５に示すように、本実施形態の液晶表示装置（表示装置）１１は、画像などの情報を表示する液晶パネル（画像表示部）１２と、導光板１３と、主波長４６４ｎｍ近傍の光を発するＬＥＤ（第１発光体）１４と、赤色（Ｒ）の光を発するＬＥＤ（第２発光体）１５と、緑色（Ｇ）の光を発するＬＥＤ（第３発光体）１６とを備えている。
【００５１】
なお、ＬＥＤ１４・１５・１６は、導光板１３の発光体として機能する。そして、導光板１３は、ＬＥＤ１４・１５・１６により発せられる光を液晶パネル１２まで伝達する。
【００５２】
また、上述の実施の形態と同一の機能を有する部材に関しては、同一の参照番号を付している。また、図５において、理解を容易にするために各部品の大小関係を誇張して記載しており、各部品の大きさは実際とは異なる。
【００５３】
また、液晶表示装置１１は、発光体としてのＬＥＤ１４・１５・１６の発光強度を制御する制御手段１７と、時刻情報を出力する時刻出力手段１８と、ＬＥＤ１４・１５・１６の発光強度の制御パターンを複数保持する記憶手段１９と、複数の制御パターンの中から使用する制御パターンを選択する選択手段２０とを備えている。なお、「制御パターン」とは、ここではＬＥＤの発光強度を時刻と対応づけて格納した情報の意味である。
【００５４】
以下、発光体の発光強度を制御する手順について説明する。まず、液晶表示装置１１の使用時においては、ＬＥＤ１４、ＬＥＤ１５、およびＬＥＤ１６のうち少なくとも１つを点灯した状態とする。そして、ＬＥＤ１４・１５・１６のそれぞれの発光強度を調整することにより、ＬＥＤ１４・１５・１６のそれぞれから発せられる光の色を導光板１３内で混合して白色とすることができる。
【００５５】
そして、ＬＥＤ１４・１５・１６のそれぞれから発せられる光を導光板１３内で混合することにより、基準となる白色光が生成されるときの、ＬＥＤ１４の発光強度を基準値に設定する。そして、この基準値に設定された発光強度に対して、ＬＥＤ１４の発光強度を強くしたり弱くしたりという制御を制御手段１７により行う。
【００５６】
この時の基準となる白色光としては、テレビやモニタ等で基準色として使用されていることが多い、相関色温度が約６５００Ｋ（ケルビン）の昼光色を用いることができる。なお、この昼光色は、国際照明委員会（ＣＩＥ）で定められた標準の光Ｄ６５と呼ばれるものである。
【００５７】
また、基準として用いる白色光としては、相関色温度が６７７４Ｋである標準の光Ｃや、相関色温度が約５０００Ｋである補助標準の光Ｄ５０など、種々の相関色温度を有する光を用いることができる。
【００５８】
本実施形態では、基準となる白色光の色温度を８５００Ｋに設定し、この色温度の白色光が導光板１３内で生成されるように、ＬＥＤ１４・１５・１６のそれぞれの発光強度が設定されているとする。
【００５９】
さらに、選択手段２０により、記憶手段１９を参照して発光体の制御パターンを決定する。記憶手段１９が保持する発光体の制御パターンとしては、使用者が通常寝起き状態である早朝の時間帯や、眠くなりやすい昼食後の時間帯にＬＥＤ１４から強い光を出しておくパターン、あるいは夜間勤務者を想定した夜間にＬＥＤ１４を強く発光するパターンなど、複数の制御パターンがある。制御手段１７は、その選択された制御パターンと、時刻出力手段１８からの時刻情報とを基に発光体の発光強度を制御する。
【００６０】
ここで、使用者を覚醒する効果を得たい場合には、制御手段１７を用いてＬＥＤ１４の発光強度が強くなるよう、その発光強度を制御する。しかしながら、ＬＥＤ１４の発光強度が変わると、ホワイトバランスが変動することとなる。しかし、以下に説明するように液晶表示装置１１においては用途に応じて様々なホワイトバランスに設定されているので、ホワイトバランスが変動しても、実際に液晶表示装置１１を使用する上で問題はない。
【００６１】
たとえば、製版並びに印刷用の表示装置では、画像表示の基準となる白色光の相関色温度が５０００Ｋに設定されている。また、一般のテレビやモニタでは、基準の白色光の相関色温度を９３００Ｋといった高い値に設定している場合が多い。さらに、ハイビジョンでは、基準の白色光の相関色温度が６５００Ｋに規定されている。最近では、１２０００Ｋという高い相関色温度に基準の白色光が設定されたテレビ製品もある。
【００６２】
したがって、基準の白色光の相関色温度が、５０００Ｋ〜１２０００Ｋの範囲にあれば、印刷された色の評価をする時のように正確な色再現性が求められない限り、ホワイトバランスが変動しても液晶表示装置１１を使用する上で問題はない。
【００６３】
図６は、液晶表示装置１１における表示の基準となる白色光の色温度を５０００Ｋから１２０００Ｋまで変化させた場合における、色度図上で基準白色光の色度点が変化する様子を示している。なお、図６において、横軸はＸＹＺ表色系におけるｘを、縦軸はｙの値を示している。
【００６４】
また、図７は液晶表示装置１１における相関色温度を５０００Ｋに設定した場合における、ＬＥＤ１４・１５・１６の発光強度を示すグラフである。一方、図８は液晶表示装置１１における相関色温度を１２０００Ｋに設定した場合における、ＬＥＤ１４・１５・１６の発光強度を示すグラフである。
【００６５】
なお、図７および図８において、横軸は波長を示しており、縦軸はＬＥＤの発光強度を示している。また、図７と図８とにおいて、縦軸の尺度は同じである。
【００６６】
これら２つのグラフを比較すると、青色を呈するＬＥＤ１４の発光強度が、基準白色光の相関色温度を５０００Ｋに設定した場合と１２０００Ｋに設定した場合とにおいて大きく異なっていることがわかる。具体的には、相関色温度が１２０００Ｋに設定されている場合に比べると、相関色温度が５０００Ｋに設定されている場合のＬＥＤ１４の発光強度は約半分になっている。よって、相関色温度を実使用で用いられる範囲で変えた場合でも、ＬＥＤ１４の発光強度は大きく変わる為、メラトニンの抑制を制御することが可能となり、生体リズムの調整が可能となる。
【００６７】
赤色を呈するＬＥＤ１５の発光強度も図７と図８で異なっているが、これは相関色温度を黒体放射軌跡上の５０００Ｋ、１２０００Ｋに合わせた場合であり、黒体放射軌跡上に白色点を合わせる必要がない場合は、ＬＥＤ１５は調整しなくてもよい。
【００６８】
つまり、色温度は、黒体と呼ばれる物質を熱した時の色を、そのときの温度で表したものであり、黒体放射軌跡とは色度図上でこの黒体を熱した時の色度の変化のラインを表したものである。色度図上で黒体放射軌跡からは外れるが、黒体放射軌跡に近い見え方をする場合、その色温度を相関色温度という。相関色温度だけを合わせる場合には、ＬＥＤ１４を制御するだけで調整が可能である。
【００６９】
使用者を覚醒する効果を得るために、相関色温度が１２０００Ｋ程度になるまでＬＥＤ１４の発光強度を強くした場合、ＬＥＤ１４の発光強度を急激に変化させると画面の色合いが急激に変化し液晶表示装置１１の使用者に不快感を与える場合がある。そのため、ＬＥＤ１４を強く点灯する場合は、徐々にＬＥＤ１４の出力を上げることで、急激に画面の色合いが変化するのを防ぐ。
【００７０】
たとえば、ＬＥＤの出力をＰＷＭ（Pulse Width Modulation）制御を用いて発光時間に応じて制御をしているのであれば、デューティー比を一定時間（たとえば５分）をかけて上げることにより、急激に画面の色合いが変化することを防ぐことができる。また、ＬＥＤ１４の出力を上げるのと同時に、ＬＥＤ１５・１６の出力も同時に上げることにより、画面の色合い変化をより効果的に防ぐことができる。
【００７１】
一方、睡眠に悪影響を及ぼさない為に、ＬＥＤ１４の強度を弱める場合、基準色の相関色温度が５０００Ｋ程度になるようにＬＥＤ１４の発光強度を弱めることになる。この時も同様に、ＰＷＭ制御であれば、デューティー比を一定期間（たとえば５分）かけて下げることで、徐々にＬＥＤ１４の出力を弱めることができ、急激に画面の色合いが変化することを防止することができる。また、ＬＥＤ１４の出力を下げるのと同時に、２つのＬＥＤ１５・１６の出力も徐々に下げることで、これら３つのＬＥＤにおける発光強度の比を一定に保てるので画面の色合い変化をより効果的に防ぐことができる。
【００７２】
ＬＥＤ１４の発光強度を変えた際に、表示装置の使用者が受光する光の量と映像信号値との間の関係について説明する。
【００７３】
図９は、使用者が受光する光の量と、映像信号値との関係を示すグラフである。同図中においては、通常時の発光強度が実線Ａにより示されており、覚醒期の発光強度が点線Ｂにより示されており、睡眠前など睡眠に悪影響を及ぼしたくない時期である鎮静期の発光強度が点線Ｃにより示されている。なお、「通常時」とは、使用者を覚醒させてもさせなくてもよい時間帯のことであり、「覚醒期」とは、使用者を覚醒させるべき時間帯を意味している。
【００７４】
なお、通常時において基準白色光の色温度が８５００Ｋに設定されている際のＬＥＤ１４の発光強度を１００％とした場合、覚醒期に色温度が１２０００Ｋに設定された時には、ＬＥＤ１４の発光強度は通常時の１２０％となるように設定されている。また、鎮静期において基準白色光の色温度を５０００Ｋとした時に、ＬＥＤ１４の発光強度は通常時の８０％になるように設定されている。
【００７５】
なお、ＬＥＤ１４・１５・１６は、バックライトとして用いられるものであるので、通常時・覚醒期・鎮静期のそれぞれの状況下においては発光強度が常に一定に設定されている。すなわち、たとえばＬＥＤ１４については、覚醒期において常にＬＥＤ１４の発光強度は１２０％で一定である。
【００７６】
そして、図９に示すように、たとえば覚醒期においては、表示装置の使用者に届く光の光量も、ＬＥＤの発光強度と同様に、通常時の受光量に比べて２０％上昇している。また、鎮静期においては、表示装置の使用者に届く光の光量も、ＬＥＤの発光強度と同様に、通常時の受光量に比べて２０％低下している。このように、使用者に届く光の受光量が変わることにより生体リズムの調整が可能となる。
【００７７】
なお、発光体の数については、各色のＬＥＤの最大発光強度の違いにあわせて弱い発光強度のＬＥＤの数を増やしてもよく、基準とする白色点に応じて必要となるＬＥＤの数を増やしてもよい。例えば、色温度の高い青みがかった白色点に合わせる場合には、青のＬＥＤを増やす。なお、合わせる色によってＬＥＤの数は異なって構わない。
【００７８】
さらに、同一色のＬＥＤを２つ、あるいは複数並べてもよい。ＬＥＤの配置についても、全てのＬＥＤを図５に示すように一列に配置する必要はなく、１つおきに場所をずらして配置してもよいし、ＬＥＤを各色について分類し、分類された同一色のＬＥＤを一列に配置してもよい。また、図５に示すように、ＬＥＤ１４、ＬＥＤ１５、およびＬＥＤ１６をこの順番で並べる必要はなく、ＬＥＤの配列順は任意に選択することができる。
【００７９】
また、ここでは基準白色光の相関色温度を５０００Ｋから１２０００Ｋとしたが、この値は一般的な値を示したものであり、より高い色温度に基準白色光の相関色温度が設定される場合もある。したがって、液晶表示装置１１の画面における色の見え方を気にせず、使用者の覚醒効果をより顕著にしたい場合には、上述の値より低い色温度または高い色温度の範囲で、基準白色光の設定を行ってもよい。
【００８０】
また、ＬＥＤ１４の発光強度に関しては、通常時を１００％とした場合において覚醒期は１２０％、鎮静期は８０％となるように設定したが、必ずしもこの値に限定されるものではない。ＬＥＤの発光強度は、生体リズムの調整効果を顕著にしたい場合には、よりメリハリのある設定にすると良く、またＬＥＤの発光効率や、基準白色光の色温度などに応じて適宜変更することができる。
【００８１】
〔実施の形態３〕
以下、図１０および図１１を参照して、本発明の表示装置に係る他の実施の形態を説明する。本実施の形態の液晶表示装置（表示装置）２１は、画像などの情報を表示する液晶パネル１２と、液晶パネル１２を背面から照射する導光板１３と、その発光体である冷陰極管（白色発光体）２２と、４６４ｎｍ近傍の主波長を持つＬＥＤ１４と、ＬＥＤ１４の発光強度を制御する制御手段１７と、現在の時刻情報を出力する時刻出力手段１８とで構成される。
【００８２】
上記構成の液晶表示装置２１における発光強度の制御について説明する。なお、表示装置の使用時には発光体は常に冷陰極管２２が点灯している状態とする。冷陰極管２２の白色光により、導光板１３は白色を呈する。
【００８３】
発光強度の制御が開始される際、制御手段１７は、時刻出力手段１８により現在の時刻情報を得る。発光体の制御を行う制御手段１７は、この時刻情報を基に以下のように発光体の制御を行う。
【００８４】
すなわち、現在の時刻が日中である場合、制御手段１７は、ＬＥＤ１４を発光させる。また、現在時刻が夜間であったならば、ＬＥＤからの光により睡眠に影響がでることを防ぐために、ＬＥＤ１４は消灯させておく。
【００８５】
なお、発光波長４６４ｎｍ近傍の発光体としてＬＥＤを使用しているのは、たとえば図７から明らかなように、ＬＥＤは急峻なスペクトルを持つため、発光波長域を限定しやすいからである。つまり、ＬＥＤを用いることにより、発光体から発せられる光の波長を生体リズムへの影響が強い４６４ｎｍ付近に限定できるので、効果的に生体リズムの調整が可能なためである。
【００８６】
上述の発光制御を図１１のフローチャートを用いて説明する。ここでは日中を８時から１８時と仮定している。図１１に示すように、制御手段１７は現在の時刻情報を時刻出力手段１８より得る（ステップ１、以下単にステップは「Ｓ」と略記する）。
【００８７】
その後、制御手段１７は、現在時刻が８時から１８時までの間であるか否かを判断する（Ｓ２）。なお、この８時から１８時までの時間は、日中の時間帯として設定された時間の一例に過ぎず、他の時間帯であってもよい。
【００８８】
Ｓ２にて現在時刻が８時から１８時までの時間であると判断された場合、ＬＥＤ１４を点灯してメラトニンの分泌を抑制する（Ｓ３）。一方、Ｓ２にて現在時刻が８時から１８時までの時間帯外であると判断された場合、ＬＥＤ１４を消灯し（Ｓ４）、生体リズムへの影響を低減する。
【００８９】
なお、図１０においては、理解を容易にするために各部品の大小関係を誇張して記載しており、各部品の大きさは実際とは異なる。また、発光体の配置や数については、両端に配置されているＬＥＤ１４を中央にしてもよく、数を増やしてもよい。冷陰極管２２についても、２つのＬＥＤ１４間の中央でなく外側に配置してもよく、複数設けてもよい。さらに、冷陰極管２２の代わりに、白色ＬＥＤや有機ＥＬを用いてもよい。
【００９０】
さらに、４６４ｎｍの主波長を持つＬＥＤ１４の代わりに、それとは異なる波長を主波長とする光源からの光を、蛍光体により波長変換して４６４ｎｍにした発光体を用いてもよい。また、ここでは液晶のバックライトを例に取っているが、フロントライトであってもよく、大型の液晶などで用いられる導光板を用いない直下型であってもよい。
【００９１】
〔実施の形態４〕
次に、図１２から図１４に基づき、本発明の表示装置に係るさらに他の実施形態を説明する。図１２に示すように、本実施形態の液晶表示装置（表示装置）３１は、液晶パネル１２と、液晶パネル１２を照射する導光板１３と、発光体となる冷陰極管２２と、主波長４６４ｎｍ近傍のＬＥＤ１４と、このＬＥＤ１４に対して補色となる主波長を有するＬＥＤ（補色発光体）３２と、各発光体の発光強度を制御する制御手段１７と、現在の時刻情報を出力する時刻出力手段１８とから構成される。
【００９２】
なお、上述の実施の形態と同一の機能を有する部材に関しては、同一の参照番号を付している。また、図１２において、理解を容易にするために各部品の大小関係を誇張して記載しており、各部品の大きさは実際とは異なる。
【００９３】
本実施の形態においては、液晶表示装置３１は、実施形態３と同様、使用時に冷陰極管２２が点灯状態とされる。そして、制御手段１７は、時刻出力手段１８から現在時刻の情報を得るとともに、この情報をもとに発光体の発光強度を制御する。
【００９４】
たとえば、液晶表示装置３１の使用者が夜間勤務であることを想定した発光体の制御パターンが制御手段１７に入力されていたとすると、制御手段１７は、勤務開始前や勤務時にＬＥＤ１４を点灯してメラトニンの分泌量を抑制して、使用者を覚醒させる。たとえば、使用者が２０時以降に勤務をすると仮定すると、その数時間前の１８時からＬＥＤ１４を点灯して、使用者を覚醒させるとよい。
【００９５】
このとき、ＬＥＤ１４が点灯されることにより導光板１３上の色合いが変わり、画面の色合いも変わることとなる。そこで、ＬＥＤ１４と隣り合って配置された、主波長４６４ｎｍ近傍の光の色に対して補色となる光を発光するＬＥＤ３２を点灯する。ＬＥＤ１４の色と、ＬＥＤ３２の色とは補色の関係にあるので、これら２つのＬＥＤから発せられる光を混合すると白色光となる。これによって、波長成分が４６４ｎｍの光を増やしつつ、ホワイトバランスが大きく崩れるのを防ぐことができ、画面上の色合いの変化を低減することが可能となる。
【００９６】
具体的には、ＬＥＤ１４から発せられる光と、ＬＥＤ３２から発せられる光とを混合することにより得られる白色光の相関色温度が、冷陰極管２２の発光色の相関色温度とできる限り一致するように、ＬＥＤ３２の発光強度を制御する。
【００９７】
たとえば、冷陰極管２２の発光色の色温度が９０００Ｋであったと仮定すると、ＬＥＤ１４からの光とＬＥＤ３２からの光とを混色した光が９０００Ｋになる為には、ＬＥＤ３２からの光の主波長は５６８ｎｍである必要がある。
【００９８】
図１３は、ＬＥＤ１４の主波長、冷陰極管２２の白色点、およびＬＥＤ１４に対して補色となるＬＥＤ３２の主波長の関係を示している。横軸はＸＹＺ表色系におけるｘ、縦軸はｙを表している。
【００９９】
図１３において太線で示された曲線は、スペクトル軌跡であり、曲線上の各点は波長に対応している。ＬＥＤ１４の主波長４６４ｎｍを示す点（図中●印で示す）と、冷陰極管２２の色温度を示す点（図中■印でしめす）とを結ぶ直線が、スペクトル軌跡と交わる点（図中▲印で示す）が、４６４ｎｍの光と混色した際の色温度が冷陰極管の色温度９０００Ｋに一致する場合の、ＬＥＤ３２の主波長を示している。
【０１００】
このようにして、ＬＥＤ３２の主波長は５６８ｎｍを設定すれば、ＬＥＤ１４・３２の発光強度を調整することにより、これら２つのＬＥＤから発せられる光を混合した光の色を、冷陰極管２２と同じ９０００Ｋとすることが可能である。
【０１０１】
また、仮眠をとる前や、明け方の勤務終了時ではＬＥＤ１４を消灯し生体リズムを整える、あるいは自動車などで帰宅するのであれば勤務終了時までＬＥＤ１４を点灯しておくなど、制御手段１７は種々の制御パターンを用いることができる。このとき、ＬＥＤ１４が点灯している際にはＬＥＤ３２も点灯し、ＬＥＤ１４が消灯しているときはＬＥＤ３２も消灯することとなる。
【０１０２】
なお、ＬＥＤ１４・３２を点灯する際、これらのＬＥＤを瞬時に点灯すると、急激に画面の輝度が変わることとなるので、実施形態３と同様に徐々に出力を変化させて点灯するとよい。
【０１０３】
図１４はＬＥＤ１４とＬＥＤ３２とを点灯させた際の、それぞれの発光強度の変化を表したものである。横軸はＬＥＤ１４の発光強度を表しており、縦軸はＬＥＤ３２の発光強度を表している。
【０１０４】
図１４中、Ｎｏ１の実線にて示すように、ＬＥＤ１４の強度の変化に応じて、ＬＥＤ３２の強度も変化させていくよう、制御手段１７はＬＥＤ１４・３２の発光強度を変化させる。また、ＬＥＤ１４が消灯するとき、ＬＥＤ３２も消灯するよう、制御手段１７はＬＥＤ１４・３２の発光強度を変化させる。なお、ＬＥＤ１４およびＬＥＤ３２の発光強度は、それぞれの最大発光強度に対して同じ比率の強度で発光されている場合に、ホワイトバランスが適正になるものとした。
【０１０５】
しかし、このようにＬＥＤ１４およびＬＥＤ３２の発光強度を強くすると、画面全体の輝度が上昇してまぶしく感じられる場合がある。これを防ぐ為に、ＬＥＤ１４とＬＥＤ３２との発光強度を強める際には、冷陰極管２２の発光強度を弱める。これにより、輝度の上昇を抑えることができ、消費電力の低減が可能となる。
【０１０６】
なお、図１４において２つのＬＥＤ１４・３２の発光強度の関係は比例関係としているが、放熱特性やその他ＬＥＤの性質の違いにより、比例とはならず、２次関数などの曲線になる場合もある。
【０１０７】
また、ここでは冷陰極管２２の発光色を９０００Ｋとしたが、９０００Ｋに限らず様々な相関色温度を冷陰極管２２の発光色の色温度として設定してよい。したがって、ＬＥＤ３２の主波長も、冷陰極管の色温度やＬＥＤ１４の波長によって様々な波長を設定することができる。
【０１０８】
また、理想的には、ＬＥＤ３２の主波長は、ＬＥＤ１４の発光色に対して補色となる波長に設定されていることが好ましいが、上記補色となる波長から多少ずれている波長であっても、冷陰極管２２に近い白色光を発光することができるため、そのような波長を発するＬＥＤをＬＥＤ３２の変わりに用いてもよい。
【０１０９】
また、ＬＥＤ３２は急峻な一つのピークを持つスペクトルをもつ単色光であるが、複数のピークをもつ発光スペクトルであらわされる、単色光でない光源であっても、主波長が補色の波長となる光源であれば、ＬＥＤ３２の代わりに使用することが可能である。
【０１１０】
〔実施の形態５〕
以下、図１５に基づき、本発明の表示装置に係るさらに他の実施形態を説明する。図１５に示すように、本実施の形態の液晶表示装置（表示装置）４１は、液晶パネル１２と、導光板１３と、ＬＥＤ１４と、赤色（Ｒ）のＬＥＤ１５と、緑色（Ｇ）のＬＥＤ１６と、ＬＥＤ３２とを備えている。なお、ＬＥＤ１４は、主波長が４６４ｎｍ近傍のものであり、ＬＥＤ３２は波長が４６４ｎｍの光に対して補色となる光を発光するものである。また、これらのＬＥＤ１４・１５・１６・３２は、導光板１３の発光体として機能する。
【０１１１】
さらに、液晶表示装置４１は、これらの発光体を制御する制御手段１７と、時刻情報を出力する時刻出力手段１８と、発光体の制御パターンを保持する記憶手段１９と、ディスプレイの使用者が任意で制御パターンを入力可能とするパターン入力手段４２と、複数の制御パターンの中から使用する制御パターンを選択する選択手段２０とを備えている。
【０１１２】
また、上述の実施の形態と同一の機能を有する部材に関しては、同一の参照番号を付している。また、図１５において、理解を容易にするために各部品の大小関係を誇張して記載しており、各部品の大きさは実際とは異なる。
【０１１３】
以下、発光体の発光強度を制御する手順について説明する。まず、液晶表示装置４１の使用時においては、白色光を出すべく、ＬＥＤ１４と、Ｒ色のＬＥＤ１５と、Ｇ色のＬＥＤ１６とが点灯した状態とする。この時の白色光は、ＣＩＥで定められたＤ６５に設定する。さらに、選択手段２０により、記憶手段１９を参照して発光体の制御パターンを決定する。
【０１１４】
ここで、記憶手段１９が保持する発光体の制御パターンとしては、上述のように複数あるが、そのすべてをあらかじめ保持しておくことは困難である。しかしながら、液晶表示装置４１にパターン入力手段４２を設けるとともに、該パターン入力手段４２を介して使用者が入力した制御パターンを使用者指示情報として記憶手段１９に記憶させておく。これにより、液晶表示装置４１の使用者が、自身の生活スタイルに合わせて自由に制御パターンを記憶手段１９に記憶させておくことが可能となる。
【０１１５】
なお、使用者指示情報とは、使用者により設定される、ＬＥＤ１４の発光強度を時刻に応じてどのように制御するかに関する情報である。したがって、使用者指示情報には、上述の発光体の制御パターンも含まれる。
【０１１６】
使用者によって設定された制御パターンを含む、記憶手段１９に保持される制御パターンから、使用者は選択手段２０を通して制御パターンをひとつ選択する。その選択された制御パターンと、時刻出力手段１８からの時刻情報とを基に、制御手段１７は発光体の制御を行う。
【０１１７】
また、使用者の覚醒効果を得るべくＬＥＤ１４の発光強度を徐々に強くすると、画面上の色合いが変化する。このような色合いの変化を防ぐために、ＬＥＤ１４に対して補色となるＬＥＤ３２をＬＥＤ１４の発光強度に合わせて点灯させることにより、ホワイトバランスを保つことができる。
【０１１８】
本実施の形態におけるＬＥＤ１４の発光強度とＬＥＤ３２の発光強度との関係を、図１４におけるＮｏ２の点線で示す。なお、ＬＥＤ１４の発光強度とＬＥＤ３２の発光強度とは比例関係になるように設定し、基準白色光はＤ６５に設定した。
【０１１９】
ＬＥＤ１４の発光強度がたとえば４０％の時点で、ＬＥＤ１４、ＬＥＤ１５、およびＬＥＤ１６の間でホワイトバランスが取れている、すなわち基準白色光であるＤ６５が発光されているとすると、ＬＥＤ１４の強度が所定強度、たとえば４０％に達するまではＬＥＤ３２の発光強度を０％としておく。
【０１２０】
一方、ＬＥＤ１４の発光強度が上記所定強度を超えた場合、ＬＥＤ１４の発光強度の増加に伴い、ＬＥＤ１４と補色の関係にあるＬＥＤ３２の発光強度も増加させるように制御する。これにより、ホワイトバランスを適正に保つことができるので、画面の色合い変化を抑えることができる。
【０１２１】
また、色合いの変化を抑える方法としては、ＬＥＤ１４の発光強度に合わせて、残り２つのＬＥＤ１５・１６の出力を調整することでも、ホワイトバランスを調整することができる。これらの色合い変化を抑える方法はそれぞれ単独でも、両方同時に行うことも可能である。ただし、補色のＬＥＤ３２を用いる場合が、制御が最も簡易で精度も高い。
【０１２２】
また、ＬＥＤ１４とＬＥＤ３２とを隣り合わせて配置することで、これらのＬＥＤからの光の混色が効率よく行われ、色むらの低減につながり、ホワイトバランスをより適正に保つことができる。
【０１２３】
なお、ＬＥＤの発光効率や基準となるホワイトバランスの違いによって、グラフの傾き等は変化する。ＬＥＤ１４の発光強度に合わせて、ＬＥＤ３２の発光強度の変える際の関係の一例を、図１４においてＮｏ３の点線に示す。Ｎｏ３の点線は、ＬＥＤ３２の発光効率がＬＥＤ１４よりも高く、ＬＥＤ１４の発光強度に対して低い発光強度にてＬＥＤ３２を発光させればホワイトバランスが取れる場合における、ＬＥＤ１４とＬＥＤ３２との間における発光強度の関係を示すものである。
【０１２４】
ＬＥＤ１４とＬＥＤ３２との間における発光強度の関係に関しては、図１４で示した関係以外にも、ＬＥＤ１４の発光強度が５０％になるまでＬＥＤ３２の発光強度を０％にするなど、種々の関係を用いることができる。
【０１２５】
なお、ＬＥＤ１４とその補色となるＬＥＤ３２とに関しては、これらのＬＥＤからの光を効率良く混合するため、本実施形態では隣り合うように配置されているものとして説明したが、離れて配置されていてもよい。
【０１２６】
また、本実施形態では、表示装置の実施例としての液晶表示装置４１の構成について説明したが、補色を含めた４色で画素を形成する自発光型ディスプレイについても、本実施形態の液晶表示装置４１と同様の手法によりホワイトバランスを調整することができる。
【０１２７】
すなわち、図１６に示すように、ガラス基板５と、陽極６と、赤色に発光する有機層７と、緑色に発光する有機層８と、主波長が４６４ｎｍ近傍となる光を発する有機層９と、陰極１０とで構成される自発光型ディスプレイにおいて、有機層９の補色となる光を発する有機層（補色発光体）５１を設けたものでもよい。
【０１２８】
また、以下の表１は、上述した各実施形態におけるＬＥＤ１４の発光状態を様々な制御パターンごとに示したものである。
（表１）
【０１２９】
【表１】
2006231057.tif 000003
パターン１は実施の形態３で説明した発光体の制御パターンであり、ＬＥＤ１４の発光状態を時間とともに示したものである。実施の形態３に係る液晶表示装置２１では、発光体として冷陰極管２２を用いているため（図１０参照）、ＬＥＤ１４を常に点灯しなくても白色光を出すことが可能である。したがって、ＬＥＤ１４のパターンは点灯と消灯のパターンになっている。
【０１３０】
また、パターン２およびパターン３は、３色のＬＥＤのみを発光体としている場合における、ＬＥＤ１４の制御パターンである。これらのパターンにおいては、白色光を作り出すためにＬＥＤ１４は常時点灯しておかなければならないので、発光状態の強弱を用いて制御パターンを示している。
【０１３１】
また、パターン２は、通常の生活パターンにあわせたもので、パターン３は、夜間勤務者などの生活パターンにあわせたものである。すなわち、パターン２では、日中の時間帯においてＬＥＤ１４を強く点灯させている。一方、パターン３では、深夜の時間帯においてＬＥＤ１４を強く点灯させている。
【０１３２】
なお、表１に示した制御パターン以外にも、表示装置の使用者の生活状況に応じて様々な制御パターンを設定可能である。また、表１では２時間毎に発光状態の強弱・点灯非点灯を記載してあるが、発光状態を変更する時間の間隔は任意に設定可能である。
【０１３３】
〔実施の形態６〕
次に、図１７に基づき、本発明の表示装置に係るさらに他の実施形態を説明する。図１７に示すように、本実施形態の液晶表示装置（表示装置）６１は、液晶パネル１２と、導光板１３と、主波長４６４ｎｍ近傍のＬＥＤ１４と、冷陰極管２２とを備えている。なお、ＬＥＤ１４と冷陰極管２２とは、導光板１３の発光体として機能する。また、本実施の形態の液晶表示装置６１は、ＬＥＤ１４からの光で励起されＬＥＤ１４の補色となる光を発する蛍光体６２を備えている。
【０１３４】
また、液晶表示装置６１は、これらの発光体（ＬＥＤ１４・冷陰極管２２・蛍光体６２）の発光強度を制御する制御手段１７と、時刻情報を出力する時刻出力手段１８と、発光体としてのＬＥＤ１４の制御パターンを保持する記憶手段１９と、複数の制御パターンの中から使用する制御パターンを選択する選択手段２０を備えている。
【０１３５】
なお、上述の実施の形態と同一の機能を有する部材に関しては、同一の参照番号を付している。また、図１７において、理解を容易にするために各部品の大小関係を誇張して記載しており、各部品の大きさは実際とは異なる。
【０１３６】
以下、発光体の発光強度を制御する手順について説明する。まず、液晶表示装置６１の使用時においては、白色光を出すために、冷陰極管２２が点灯した状態とする。なお、冷陰極管２２により発せられる光の相関色温度は、ここでは９０００Ｋとする。
【０１３７】
さらに、選択手段２０により、記憶手段１９を参照して発光体の制御パターンを決定する。記憶手段１９が保持する発光体の制御パターンとしては、使用者が通常寝起き状態であると考えられる早朝の時間帯や、眠くなりやすい昼食後の時間帯にＬＥＤ１４から強い光を出しておくなど、複数の制御パターンがある。
【０１３８】
使用者は選択手段２０を通して、複数の制御パターンの中から一つを選択する。制御手段１７は、その選択された制御パターンと、時刻出力手段１８からの時刻情報とを基に発光体の発光強度を制御する。たとえば、使用者が８時から１８時を日中としてＬＥＤ１４を強く発光するパターンを選択していた場合、ＬＥＤ１４の発光強度は図１１に示すフローチャートに従って制御される。
【０１３９】
また、冷陰極管２２により発せられる光と、ＬＥＤ１４により発せられる光とが単純に混合された混色光の色は、冷陰極管２２だけを発光させた光の色に比べ、青みがかった色となる。したがって、本実施の形態の液晶表示装置６１において、使用者の覚醒効果を得るためにＬＥＤ１４を単に強く点灯すると、ホワイトバランスが崩れてしまう。
【０１４０】
そこで、蛍光体６２を、ＬＥＤ１４と導光板１３との間であってＬＥＤ１４からの光の一部があたる位置に配置する。これにより、ＬＥＤ１４から発せられる光の一部は、蛍光体６２によってＬＥＤ１４の補色の光となる。また、ＬＥＤ１４から発せられる光のうち蛍光体６２を透過しない光は、波長変換を起こさないので、蛍光体６２を透過した光と混ざり合うことにより、白色を呈することとなる。
【０１４１】
このように蛍光体６２を設けることにより、ＬＥＤ１４の強度を強めつつ、補色の光源を用いなくてもホワイトバランスを調整することが可能となる。このような蛍光体としては、白色ＬＥＤなどで用いられる、青色光によって励起され黄色光を発するＹＡＧ（イットリウム・アルミニウム・ガーネット）などを用いることができる。
【０１４２】
このように液晶表示装置６１を構成することにより、ＬＥＤ３２のように補色の発光体を用いる液晶表示装置３１（図１２参照）に比べ、同じ輝度の光を生成するための光源の数を少なくできる。さらに、蛍光体６２を利用した場合には、ＬＥＤ１４のきわめて近い部分に蛍光体６２が配置されることになるので、液晶パネル１２による表示に、色むらや輝度むらが生じにくくなる。
【０１４３】
また、たとえば液晶表示装置３１のように、補色の発光体を用いた場合には、ＬＥＤ１４に加え、補色の発光体の発光強度も制御する必要がある。しかしながら本実施形態の液晶表示装置６１のように、蛍光体６２を使用する場合は、蛍光体６２は発光強度を制御する必要が無いので、補色の発光体を用いる場合に比べ発光強度の制御が単純化することができる。
【０１４４】
なお、本実施形態では、蛍光体６２をＬＥＤ１４の真上に配置する構成について説明したが、蛍光体６２の配置場所はこれに限定されるものではない。たとえば、ＬＥＤ１４を覆うように蛍光体６２を設けたり、ＬＥＤ１４の横に蛍光体６２を設けるというように、ＬＥＤ１４からの光が届く範囲内で様々な場所に蛍光体６２を配置することができる。
【０１４５】
また、ＬＥＤ１４および蛍光体６２の代わりに、波長４６４ｎｍの光を発するＬＥＤと蛍光体とが一体成型された白色ＬＥＤを用いてもよい。
【０１４６】
また、ここでは白色光源として冷陰極管を用いたが、白色ＬＥＤやＥＬを用いてもよい。また、蛍光体は、実施形態２に示すように、それぞれ異なる色を発光するＬＥＤ１４・１５・１６を発光体として用いる液晶表示装置１１についても使用可能である。
【０１４７】
〔実施の形態７〕
次に、図１８に基づき、本発明の表示装置に係るさらに他の実施形態を説明する。図１５に示すように、本実施形態の液晶表示装置（表示装置）７１は、液晶パネル１２と、導光板１３と、冷陰極管２２とを備えている。なお、冷陰極管２２は、導光板１３の発光体として機能する。
【０１４８】
また、液晶表示装置７１は、青色波長域の透過率が低い誘電体多層膜フィルタ７２と、青色波長域の透過率が高い誘電体多層膜フィルタ７３とを備えている。なお、これらの誘電体多層膜フィルタ７２・７３は、冷陰極管２２と、冷陰極管２２の光が入射される導光板１３の入射端面との間に配置され、冷陰極管２２から導光板１３に入射される光の透過率を、発光波長ごとに制御するものである。
【０１４９】
さらに、液晶表示装置７１は、フィルタ切替手段７４を備えている。フィルタ切替手段７４は、誘電体多層膜フィルタ７２および誘電体多層膜フィルタ７３のうちいずれを使用するか、またはどちらも使用しないかを切り替えるものである。
【０１５０】
また、液晶表示装置７１は、冷陰極管２２の発光強度を制御する制御手段１７を備えている。
【０１５１】
なお、上述の実施の形態と同一の機能を有する部材に関しては、同一の参照番号を付している。また、図１８において、理解を容易にするために各部品の大小関係を誇張して記載しており、各部品の大きさは実際とは異なる。
【０１５２】
以下、生体リズムに影響を与える、４４０〜４７０ｎｍの範囲における波長の光の光量を制御する方法について説明する。
【０１５３】
図１９は冷陰極管２２の発光スペクトルであり、横軸は波長、縦軸は発光強度を示している。ここで、図３を用いて説明したように、青色波長域の光にメラトニン抑制の効果がある。図１９を参照すると、冷陰極管２２から発せられる光は、その波長域の光を含んでいることがわかる。
【０１５４】
また、図２０は青色波長域の透過率の低い誘電体多層膜フィルタ７２の透過率特性を示すものであり、図２１は青色波長域の透過率の高い誘電体多層膜フィルタ７３の透過率特性を示すものである。図２０および図２１においては、横軸が波長、縦軸が透過率を示している。
【０１５５】
ここで、誘電体多層膜フィルタとは、光の屈折率が異なる２つの絶縁膜を交互に積み重ねたものであり、酸化ケイ素と酸化チタンなどが絶縁膜として使用される。絶縁膜の物質を変えたり、積層する層の数を変えることで、様々な透過スペクトルを持つ誘電体多層膜フィルタを実現できる。誘電体多層膜の作成方法は公知である。
【０１５６】
図２０に示すように、誘電体多層膜フィルタ７２の透過スペクトルは、青色波長域で低く、それ以外の波長域では高い透過率を示している。このため、睡眠前などの覚醒することを避けたい時間帯には、フィルタ切替手段７４を用いて、使用するフィルタを誘電体多層膜フィルタ７２に切り替えることにより、メラトニン抑制効果のある青色波長域の光の光量を少なくすることが可能となる。
【０１５７】
また、図２１に示すように、誘電体多層膜フィルタ７３の透過スペクトルは、青色波長域で高く、その他の波長域で低くなっている。そのため、昼間などの覚醒の効果を得たい時間には、フィルタ切替手段７４を用いて、使用するフィルタを誘電体多層膜フィルタ７３に切り替える。
【０１５８】
ただし、この誘電体多層膜フィルタ７３を使用しただけでは、青色波長域とそれ以外の波長域で減少の割合は異なるものの、どの波長域でも発光量は下がることになる。そのため、誘電体多層膜フィルタ７３を使用する際には、制御手段１７を用いて冷陰極管２２の発光強度を強くすることが好ましい。これにより、使用者の覚醒の効果を得たい時には、青色波長域の光量を増加させ、メラトニン分泌を抑制することができる。
【０１５９】
さらに、表示装置の使用者は、誘電体多層膜フィルタの切替、および使用の有無に関する情報を、使用者指示情報としてフィルタ切替手段７４を用いて決定することが可能である。
【０１６０】
たとえば、使用者が睡眠前であり睡眠に悪影響を及ぼしたくない際には、フィルタ切替手段７４を用いて、青色波長域の透過率の低い誘電体多層膜フィルタ７２を使用するように、使用者指示情報を設定する。これにより、メラトニン分泌が抑制されることを防ぐことができる。
【０１６１】
また、使用者を覚醒する効果を得たい際には、フィルタ切替手段７４を用いて、青色波長域の透過率の高い誘電体多層膜フィルタ７３を使用するように、使用者指示情報を設定する。
【０１６２】
この場合、フィルタ切替手段７４は、制御手段１７に対して、冷陰極管２２の発光強度を強くする旨の制御信号を出力する。これにより、青色波長域の光の光量が増加するので、使用者を覚醒する効果が得られる。
【０１６３】
また、これらのフィルタを使うと、青の光量が変わることから、液晶表示装置７１の表示画面における色合いが変化してしまう場合がある。そのため、表示画像の色合いを重要視する場合は、使用者は、フィルタ切替手段７４を用いて、フィルタを使用しないように使用者指示情報を設定することが好ましい。これにより、液晶パネル１２により表示される画像の色合いが、青みがかったりすることを防ぐことができる。
【０１６４】
このように、フィルタ切替手段７４を用いて使用者指示情報を設定することにより、使用者が望む状態に設定することが可能となる。
【０１６５】
ここでは、光の発光量を波長域ごとに制御するために、任意の透過スペクトルに設計することが可能であることから、誘電体多層膜フィルタを用いたが、ゲストホスト液晶を用いて発光量を制御するなど、様々な方法により光の発光量を波長域ごとに制御することができる。
【０１６６】
なお、ゲストホスト液晶とは、分子の長軸方向と短軸方向とで光の吸収に異方性をもつ２色性色素を液晶に混ぜたものである。ゲストホスト液晶に電圧をかけることで、２色性色素の配向が変化し、液晶透過時の光吸収特性が変化する為、光の透過量を電気的に制御することができる。２色性色素として青色の光を吸収するものが用いられたゲストホスト液晶ならば、青色の光の透過量を制御することができる。
【０１６７】
また、冷陰極管２２に関しても、青色波長域に発光成分を持つ有機ＥＬや無機ＥＬを、冷陰極管２２の代わりに用いてもよい。また、冷陰極管２２は、単数でも複数でも構わない。
【０１６８】
また、本実施形態においては、使用フィルタを誘電体多層膜フィルタ７２または誘電体多層膜フィルタ７３のいずれかに切り替えるための構成として、フィルタ切替手段７４を設ける構成について説明した。これと同様に、上記した実施形態において青色の光を発光する有機層９やＬＥＤ１４の発光強度を変更するボタンなどを用意して、使用者が自由に発光強度を切り替えられるようにしてもよい。
【０１６９】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１７０】
以上のように、本発明の表示装置は、発光体の光により画像を表示する表示装置であって、上記発光体は生体リズムに影響を与える波長の光を発し、上記波長の光の強度を制御することによって、生体リズムを調整するとともに上記画像を表示するものである。
【０１７１】
上記構成によれば、生体リズムに影響を与える波長の光の強度を制御することによって、生体リズムを調整することができる。
【０１７２】
特に、表示装置は、照明装置に比べて使用者との距離が近い位置で使用されることが多いので、発光体からの光は、使用者に直接的に届き、使用者の生体リズムに与える影響が大きい。また、画像を表示する表示装置は、照明装置に比べて使用頻度が高い。
【０１７３】
したがって、表示装置においては、発光体の発光強度が使用者の生体リズムに与える影響が照明装置に比べて大きいので、本発明によれば、効果的に使用者の生体リズムを調整することができる。
【０１７４】
また、上記構成の表示装置は、時間情報に基づき、上記波長の光の強度を制御することが好ましい。なお、時間情報とは、上述した現在の時刻を示す時刻情報や、表示装置の使用を開始した時からの現在まで時間を示す経過情報を含む情報である。
【０１７５】
上記構成によれば、時間情報に基づき、生体リズムに影響を与える波長の光の強度が自動的に調整されるので、使用者が意識的に表示装置を操作することなく、生体リズムを調整することが可能となる。
【０１７６】
また、上記構成の表示装置は、使用者により設定された情報である使用者指示情報に基づき、上記波長の光の強度を制御することが好ましい。
【０１７７】
上記構成によれば、使用者の設定する使用者指示情報に基づいて、生体リズムに影響を与える波長の光の強度が制御される。したがって、使用者の好みに合わせて生体リズムに影響を与える波長の光の強度を制御することができ、所望のリズムに使用者の生体リズムを適合させることできる。
【０１７８】
また、使用者指示情報として、生体リズムに影響を与える波長の光の強度が時刻と対応付けられた制御パターンを設定し、この使用者指示情報に基づき生体リズムに影響を与える波長の光の強度を制御するようにしてもよい。これにより、本発明の表示装置の使用者が制御パターンを一旦設定すれば、それ以降は使用者の希望に応じた強度で生体リズムに影響を与える波長の光が発せられるので、所望のリズムに使用者の生体リズムを容易に適合させることができる。
【０１７９】
また、上記構成の表示装置は、表示する画像がどのような内容の番組であるかを示す情報であるコンテンツ情報に基づき、上記波長の光の強度を制御することが好ましい。
【０１８０】
上記構成によれば、コンテンツ情報に基づき、生体リズムに影響を与える波長の光の強度が制御されるので、表示画像の内容に応じて上記波長の光の強度が制御される。したがって、表示画像の内容に応じて生体リズムを調整することが可能となる。たとえば、表示画像が映画である場合には、上記波長の光の強度を上げて使用者を覚醒させることにより、映画をより印象深いものとすることができる。
【０１８１】
また、上記構成の表示装置は、上記発光体の発光色に対して略補色となる光を発光する補色発光体を含んでいることが好ましい。
【０１８２】
すなわち、生体リズムに影響をあたえる波長の光の強度を強めた際に、画像の表示画面の色合いが崩れてしまう場合がある。しかしながら、上記構成においては補色発光体を備えているので、発光体および補色発光体のそれぞれから発せられる光を混合することにより、白色光を生成して、表示画面の色合いが崩れるのを防止することができる。
【０１８３】
また、上記構成の表示装置は、上記発光体の発光強度に応じて、上記補色発光体の発光強度を制御することが好ましい。
【０１８４】
上記構成によれば、発光体の発光強度に応じて補色発光体の発光強度が制御される。ここで、補色発光体は、発光体の発光色に対して補色となる光を発するので、その発光強度を発光体の発光強度に応じて制御すれば、これら２つの発光体からの光が混合されることにより生成される白色光の色合いを適切に制御できる。
【０１８５】
したがって、発光体の発光強度の高低によって表示画面の色合いが崩れてしまうことを、より適切に防止することができる。
【０１８６】
また、本発明の表示装置は、画像を表示する画像表示部の画素が、複数の発光体で構成される表示装置であって、上記複数の発光体は生体リズムに影響を与える波長の光を発する第１発光体を含み、上記画像表示部に入力される映像信号に対する上記第１発光体の発光強度の特性を切り替えるものである。
【０１８７】
上記構成によれば、画素自体が発光体として発光する自発光型の表示装置において、第１発光体の発光強度特性が制御される。これにより、生体リズムに影響を与える波長の光の強度が調整されるので、生体リズムを調整することができる。
【０１８８】
特に、表示装置は、照明装置に比べて使用者との距離が近い位置で使用されることが多いので、第１発光体からの光は、使用者に直接的に届き、使用者の生体リズムに与える影響が大きい。また、画像を表示する表示装置は、照明装置に比べて使用頻度が高い。
【０１８９】
したがって、表示装置においては、第１発光体の発光強度が使用者の生体リズムに与える影響が照明装置に比べて大きいので、本発明によれば、効果的に使用者の生体リズムを調整することができる。
【０１９０】
また、本発明の表示装置は、画像を表示する画像表示部の画素が、複数の発光体で構成される表示装置であって、上記複数の発光体は、４４５ｎｍから４８０ｎｍまでの間に主波長を有する光を発光する第１発光体を含み、上記画像表示部に入力される映像信号に対する上記第１発光体の発光強度の特性を切り替えるものであってもよい。
【０１９１】
上記構成によれば、メラトニンの抑制効果が高い４４５ｎｍから４８０ｎｍまでの範囲に、主波長を有する光を発するものを、第１発光体として用いる。したがって、第１発光体から発せられる光をメラトニン抑制効果が高いものとすることができるので、より効果的に生体リズムの調整を行うことが可能となる。
【０１９２】
さらに、上記構成の表示装置は、上記映像信号に対する上記第１発光体の発光強度の特性を、時間情報に基づき切り替えることが好ましい。
【０１９３】
上記構成によれば、時間情報に基づき第１発光体の発光強度特性が自動的に調整されるので、使用者が意識的に表示装置を操作することなく、生体リズムを調整することが可能となる。
【０１９４】
さらに、上記構成の表示装置は、上記映像信号に対する上記第１発光体の発光強度の特性を、使用者により設定された情報である使用者指示情報に基づき切り替えることが好ましい。
【０１９５】
上記構成によれば、使用者の設定する使用者指示情報に基づいて、生体リズムに影響を与える波長の光の発光強度特性が制御される。したがって、使用者の好みに合わせて第１発光体の発光強度特性を制御することができ、所望のリズムに使用者の生体リズムを適合させることできる。
【０１９６】
また、使用者指示情報として、第１発光体の発光強度特性が時刻と対応付けられた制御パターンを設定し、この使用者指示情報に基づき第１発光体の発光強度特性を制御するようにしてもよい。これにより、本発明の表示装置の使用者が制御パターンを一旦設定すれば、それ以降は使用者の希望に応じた発光強度で第１発光体は発光するので、所望のリズムに使用者の生体リズムを容易に適合させることができる。
【０１９７】
さらに、上記構成の表示装置は、上記映像信号に対する上記第１発光体の発光強度の特性を、表示する画像がどのような内容の番組であるかを示す情報であるコンテンツ情報に基づき切り替えることが好ましい。
【０１９８】
上記構成によれば、コンテンツ情報に基づき第１発光体の発光強度特性が制御されるので、表示画像の内容に応じて第１発光体の発光強度特性が制御される。したがって、表示画像の内容に応じて生体リズムを調整することが可能となる。たとえば、表示画像が映画である場合には、第１発光体の発光強度を上げて使用者を覚醒させることにより、映画をより印象深いものとすることができる。
【０１９９】
さらに、上記複数の発光体は、赤色光を発光する第２発光体と、緑色光を発光する第３発光体とを含んでいることが好ましい。
【０２００】
すなわち、第１発光体により発光される生体リズムに影響を与える光は、ほぼ青色を呈する。したがって、上記構成のように第２発光体および第３発光体を設ければ、第１発光体により発せられるほぼ青色の光、第２発光体により発せられる赤色の光、および第３発光体により発せられる緑色の光により、自発光型の表示装置においてカラー表示を行うことできる。
【０２０１】
さらに、上記複数の発光体は、上記第１発光体の発光色に対して略補色となる光を発光する補色発光体を含んでいることが好ましい。
【０２０２】
すなわち、生体リズムに影響をあたえる波長の光の強度を強めた際に、画像の表示画面の色合いが崩れてしまう場合がある。しかしながら、上記構成においては補色発光体を備えているので、第１発光体および補色発光体のそれぞれから発せられる光を混合することにより、白色光を生成して、表示画面の色合いが崩れるのを防止することができる。
【０２０３】
さらに、上記構成の表示装置は、上記第１発光体の発光強度に応じて、上記補色発光体の発光強度を制御することが好ましい。
【０２０４】
上記構成によれば、第１発光体の発光強度に応じて補色発光体の発光強度が制御される。ここで、補色発光体は、第１発光体の発光色に対して補色となる光を発するので、その発光強度を第１発光体の発光強度に応じて制御すれば、これら２つの発光体からの光が混合されることにより生成される白色光の色合いを適切に制御できる。
【０２０５】
したがって、第１発光体の発光強度の高低によって表示画面の色合いが崩れてしまうことを、より適切に防止することができる。
【０２０６】
さらに、上記補色発光体は、上記第１発光体と隣り合うように配置されていることが好ましい。
【０２０７】
上記構成によれば、第１発光体と補色発光体が隣り合うことにより、それぞれの発光体から発せられる光を効率良く混合し、白色光を効率良く生成することができる。したがって、第１発光体の発光強度の高低によって表示画面の色合いが崩れてしまうことを、より適切に防止することができる。
【０２０８】
さらに、上記複数の発光体のうち少なくとも１つの発光体は、発光ダイオードであってもよい。
【０２０９】
上記構成によれば、画素がＬＥＤにより構成された自発光型のＬＥＤディスプレイにおいて、生体リズムの調整が可能となる。
【０２１０】
さらに、上記複数の発光体のうち少なくとも１つの発光体は、エレクトロルミネッセンスであってもよい。
【０２１１】
上記構成によれば、画素がエレクトロルミネッセンスにより構成された自発光型の有機ＥＬディスプレイにおいて、生体リズムの調整が可能となる。
【０２１２】
また、本発明の表示装置は、画像を表示する画像表示部に対して、光源からの光を照射することにより画像を表示する表示装置であって、上記複数の発光体は生体リズムに影響を与える波長の光を発光する第１発光体を含み、上記画像表示部に入力される映像信号に対する上記第１発光体の発光強度を切り替えるものである。
【０２１３】
上記構成によれば、画像表示部に対して光源からの光を照射する構成の表示装置において、第１発光体の発光強度が制御される。これにより、生体リズムに影響を与える波長の光の強度が調整されるので、生体リズムを調整することができる。
【０２１４】
特に、表示装置は、照明装置に比べて使用者との距離が近い位置で使用されることが多いので、第１発光体からの光は使用者に直接的に届く。また、画像を表示する表示装置は、照明装置に比べて使用頻度が高い。
【０２１５】
したがって、表示装置においては、第１発光体の発光強度が使用者の生体リズムに与える影響が照明装置に比べて大きいので、本発明によれば、効果的に使用者の生体リズムを調整することができる。
【０２１６】
また、本発明の表示装置は、画像を表示する画像表示部に対して、光源からの光を照射することにより画像を表示する表示装置であって、上記複数の発光体は４４５ｎｍから４８０ｎｍまでの間に主波長を有する光を発光する第１発光体を含み、上記画像表示部に入力される映像信号に対する上記第１発光体の発光強度を切り替えるものであってもよい。
【０２１７】
上記構成によれば、メラトニンの抑制効果が高い４４５ｎｍから４８０ｎｍまでの範囲に、主波長を有する光を発するものを、第１発光体として用いる。したがって、第１発光体から発せられる光をメラトニン抑制効果が高いものとすることができるので、より効果的に生体リズムの調整を行うことが可能となる。
【０２１８】
さらに、上記構成の表示装置において、上記第１発光体の発光強度を、時間情報に基づき制御することが好ましい。
【０２１９】
上記構成によれば、時間情報に基づき第１発光体の発光強度が自動的に調整されるので、使用者が意識的に表示装置を操作することなく、生体リズムを調整することが可能となる。
【０２２０】
さらに、上記構成の表示装置において、上記第１発光体の発光強度を、使用者により設定された情報である使用者指示情報に基づき制御することが好ましい。
【０２２１】
上記構成によれば、使用者の設定する使用者指示情報に基づいて、生体リズムに影響を与える波長の光の発光強度が制御される。したがって、使用者の好みに合わせて第１発光体の発光強度を制御することができ、所望のリズムに使用者の生体リズムを適合させることできる。
【０２２２】
また、使用者指示情報として、第１発光体の発光強度が時刻と対応付けられた制御パターンを設定し、この使用者指示情報に基づき第１発光体の発光強度を制御するようにしてもよい。これにより、本発明の表示装置の使用者が制御パターンを一旦設定すれば、それ以降は使用者の希望に応じた発光強度で第１発光体は発光するので、所望のリズムに使用者の生体リズムを容易に適合させることができる。
【０２２３】
さらに、上記構成の表示装置において、上記第１発光体の発光強度の特性を、表示する画像がどのような内容の番組であるかを示す情報であるコンテンツ情報に基づき切り替えることが好ましい。
【０２２４】
上記構成によれば、コンテンツ情報に基づき第１発光体の発光強度が制御されるので、表示画像の内容に応じて第１発光体の発光強度が制御される。したがって、表示画像の内容に応じて生体リズムを調整することが可能となる。たとえば、表示画像が映画である場合には、第１発光体の発光強度を上げて使用者を覚醒させることにより、映画をより印象深いものとすることができる。
【０２２５】
さらに、上記光源は、赤色光を発光する第２発光体と、緑色光を発光する第３発光体とを含んでいることが好ましい。
【０２２６】
すなわち、第１発光体により発光される生体リズムに影響を与える光は、ほぼ青色を呈する。したがって、上記構成のように第２発光体および第３発光体を設ければ、第１発光体により発せられるほぼ青色の光、第２発光体により発せられる赤色の光、および第３発光体により発せられる緑色の光を混合することにより、白色光を生成することができる。
【０２２７】
そして、白色光は、一般的な表示装置において用いられる光源の光である。したがって、上記のように第１発光体、第２発光体、および第３発光体を設けるという簡易な構成により、一般的な表示装置の光源としてこれらの発光体を機能させることができる。
【０２２８】
さらに、上記光源は、白色光を発光する白色発光体を含んでいるものであってもよい。
【０２２９】
すなわち、白色光は、一般的な表示装置で用いられている光源により発せられる光である。したがって、上記構成によれば、一般的な光源として利用される白色発光体を含んでいる表示装置に、第１発光体を設けるという簡易な構成で、生体リズムを調整することが可能となる。
【０２３０】
さらに、上記光源は、上記第１発光体の発光色に対して略補色となる光を発光する補色発光体を含んでいることが好ましい。
【０２３１】
すなわち、生体リズムに影響をあたえる波長の光の強度を強めた際に、画像の表示画面の色合いが崩れてしまう場合がある。しかしながら、上記構成においては補色発光体を備えているので、第１発光体および補色発光体のそれぞれから発せられる光を混合することにより、白色光を生成して、表示画面の色合いが崩れるのを防止することができる。
【０２３２】
さらに、上記構成の表示装置において、上記第１発光体の発光強度に応じて、上記補色発光体の発光強度を制御することが好ましい。
【０２３３】
上記構成によれば、第１発光体の発光強度に応じて補色発光体の発光強度が制御される。ここで、補色発光体は、発光体の発光色に対して補色となる光を発するので、その発光強度を第１発光体の発光強度に応じて制御すれば、これら２つの発光体からの光が混合されることにより生成される白色光の色合いを適切に制御できる。
【０２３４】
したがって、第１発光体の発光強度の高低によって表示画面の色合いが崩れてしまうことを、より適切に防止することができる。
【０２３５】
さらに、上記補色発光体は、上記第１発光体と隣り合うように配置されていることが好ましい。
【０２３６】
上記構成によれば、第１発光体と補色発光体が隣り合うことにより、それぞれの発光体から発せられる光を効率良く混合し、白色光を効率良く生成することができる。したがって、第１発光体の発光強度の高低によって表示画面の色合いが崩れてしまうことを、より適切に防止することができる。
【０２３７】
さらに、本発明の表示装置は、上記第１発光体の発光色に対して略補色となる光を発光する蛍光体を含んでいることが好ましい。
【０２３８】
上記構成によれば、蛍光体により第１発光体の発光色に対して略補色となる光が発光されるので、上述したような補色発光体を設けた場合と同様の効果を得ることができる。また、蛍光体は発光強度を制御する必要がないので、表示装置の構成を簡略化することができる。
【０２３９】
さらに、上記光源を構成する発光体のうち少なくとも１つは、発光ダイオードまたはエレクトロルミネッセンスであってもよい。
【０２４０】
上記構成によれば、発光ダイオードまたは面発光するエレクトロルミネッセンスを光源として用いた表示装置において、液晶パネル等の画像表示部に対して該光源から光を照射することにより、生体リズムを調整することが可能となる。
【０２４１】
なお、本発明の表示装置は、生体に影響を与える波長の光を発する第１発光体と、時刻出力手段からの時刻情報に基づいて上記第１発光体の発光強度を制御する制御手段とを備えているものであってもよい。
【０２４２】
上記構成によれば、時刻出力手段によって得られる時刻情報に基づき、生体に影響を与える波長の光の強度を制御することが可能となる。
【０２４３】
したがって、時刻に応じて生体に影響を与える光の発光強度を調整することにより、生体リズムを調整することが可能となる。
【０２４４】
さらに、本発明の表示装置は、上記構成の表示装置において、上記第１発光体から発せられる光は、４４５ｎｍから４８０ｎｍまでの間にピーク波長を有することを特徴としている。
【０２４５】
４４５ｎｍから４８０ｎｍ近傍のピーク波長を有する光を強く発光すると、メラトニンの分泌量が抑制されることが知られている。上記構成によれば、第１発光体により上記範囲のピーク波長を有する光が発せられるので、メラトニン分泌を調整し、生体リズムをより効果的に調整することができる。
【０２４６】
さらに、本発明の表示装置は、上記構成の表示装置において、赤色光を発光する第２発光体と、緑色光を発光する第３発光体とを備えているものであってもよい。
【０２４７】
上記構成によれば、第１発光体、第２発光体、および第３発光体により、鮮やかなカラー表示を行うことができる。
【０２４８】
さらに、本発明の表示装置は、上記構成の表示装置において、上記第１発光体の発光色に対する補色を発光する第４発光体を備えているものであってもよい。
【０２４９】
上記構成によれば、第４発光体により、第１発光体から発せられる光の色に対して補色となる光が発せられる。よって、第１発光体を強く発光したときでも、第４発光体を第１発光体の発光強度に対応した強い強度にて発光することで、画面上の色合いの変化を抑えることが可能となる。
【０２５０】
さらに、本発明の表示装置は、上記構成の表示装置において、上記第４発光体が、上記第１発光体と隣り合うように配置されていてもよい。
【０２５１】
上記構成によれば、第１発光体と、第４発光体とが隣り合って配置されるので、これら２つの発光体から発光される光の混色を効率よく行うことができ、画面上の色むらを防ぐことが可能となる。
【０２５２】
さらに、本発明の表示装置は、上記構成の表示装置において、上記制御手段が、上記第１発光体の発光強度に対応させて、上記第４発光体の発光強度を制御するものであってもよい。
【０２５３】
上記構成によれば、第１発光体の発光強度に対応させて、第４発光体の発光強度を制御することにより、第１発光体と第４発光体との混色の割合を調整することができ、画面上の色合いをより理想的にすることができる。
【０２５４】
さらに、本発明の表示装置は、上記構成の表示装置において、上記第１発光体が、画像を表示する画像表示手段を照明する照明手段に含まれているものであってもよい。
【０２５５】
上記構成によれば、一般的に画像表示手段として広く用いられている液晶ディスプレイ等に、照明手段として用いられるバックライトの光源として第１発光体を設けることにより、生体リズムの調整を実現する表示装置を容易に提供することができる。
【０２５６】
さらに、本発明の表示装置は、上記構成の表示装置において、上記第１発光体、上記第２発光体、および上記第３発光体の少なくとも３つにより、画像を表示する画像表示手段の画素が形成されているものであってもよい。
【０２５７】
上記構成によれば、第１発光体、第２発光体、および第３発光体により、赤色光、緑色光、青色光を発光させることができるので、画像表示手段を自発光型ディスプレイとすることができる。よって、生体リズムの調整が可能な自発光型ディスプレイを提供することができる。
【０２５８】
さらに、本発明の表示装置は、上記構成の表示装置において、上記制御手段が、記憶手段に記憶された複数の制御パターンから、選択手段により選択された制御パターンにしたがい、上記第１発光体の発光強度を変化させるものであってもよい。
【０２５９】
上記構成によれば、記憶手段に、種々の発光強度の制御パターンを記憶しておくとともに、使用者の生活リズムに最適な制御パターンを選択手段に選択せしめ、選択された制御パターンにしたがって第１発光体の発光強度を変化させることができる。
【０２６０】
よって、表示装置の使用者毎に制御パターンを設定し、生体リズムをより効果的に調整することができる。
【０２６１】
さらに、本発明の表示装置は、上記構成の表示装置において、上記制御手段が、利用者の起床時および日中において上記第１発光体の発光強度を強め、夜間において上記第１発光体の発光強度を弱めるように制御するものであってもよい。
【０２６２】
上記構成によれば、利用者の起床時および日中には利用者をより効果的に覚醒させることができ、睡眠前には発光強度が弱められるので、生体リズムへの影響を低減できる。よって、生体リズムをより効果的に調整することができる。
【０２６３】
なお、上述の第１発光体、第２発光体、第３発光体、および第４発光体は、ＬＥＤであることが好ましい。発光体がＬＥＤであれば、発光波長を絞ることができるので、生体に影響を与える波長を的確に選択する選択することが可能となる。
【０２６４】
また、第１発光体、第２発光体、第３発光体および第４発光体は、エレクトロルミネッセンスでも構わない。発光体をエレクトロルミネッセンスにて形成することにより、生体リズムの調整が可能な有機ＥＬディスプレイを提供することができる。
【０２６５】
なお、発明を実施するための最良の形態の項においてなした具体的な実施形態は、あくまでも、本発明の技術内容を明らかにするものであって、そのような具体例にのみ限定して狭義に解釈されるべきものではなく、本発明の精神と次に記載する特許請求の範囲内で、いろいろと変更して実施することができるものである。
【産業上の利用可能性】
【０２６６】
本発明は、モニタやテレビといった用途の他、モバイル機器向けのディスプレイや、大画面のディスプレイなど様々な表示装置において適用可能である。
【図面の簡単な説明】
【０２６７】
【図１】（ａ）は、本発明の一実施形態に係る表示装置の構成を示す図であり、（ｂ）は、（ａ）に示す表示装置の各セル内における構成を示す断面図である。
【図２】光源の主波長とスペクトル軌跡との関係を示す図である。
【図３】生体リズムに関する波長とメラトニン抑制強度との関係を示す図である。
【図４】図１の表示装置における、有機層９の入力映像信号値と発光強度との関係を示す図である。
【図５】本発明の他の実施形態に係る液晶表示装置の構成を示す図である。
【図６】図５の液晶表示装置の色合いを変えた場合の色度図上の変化を示す図である。
【図７】図５の液晶表示装置における基準白色光の色温度を５０００Ｋに設定した場合のＬＥＤの発光強度を示す図である。
【図８】図５の液晶表示装置における基準白色光の色温度を１２０００Ｋに設定した場合のＬＥＤの発光強度を示す図である。
【図９】図５の液晶表示装置における、入力画像信号に対するＬＥＤ１４の光量の関係を示す図である。
【図１０】本発明のさらに他の実施形態に係る液晶表示装置の構成を示す図である。
【図１１】図１０の液晶表示装置においてＬＥＤの発光強度を制御する手順を示すフローチャートである。
【図１２】本発明のさらに他の実施形態に係る液晶表示装置の構成を示す図である。
【図１３】図１２の液晶表示装置におけるＬＥＤ１４の補色の波長を説明するための図である。
【図１４】図１２および図１５の液晶表示装置における、ＬＥＤ１４とＬＥＤ３２の発光強度の関係を示すグラフである。
【図１５】本発明のさらに他の実施形態に係る液晶表示装置の構成を示す図である。
【図１６】図１５の液晶表示装置の変形例である自発光型表示装置の画素の構成を示す断面図である。
【図１７】本発明のさらに他の実施形態に係る液晶表示装置の構成を示す図である。
【図１８】本発明のさらに他の実施形態に係る液晶表示装置の構成を示す図である。
【図１９】図１８の液晶表示装置における冷陰極管２２の発光スペクトルを示す図である。
【図２０】図１８の液晶表示装置における誘電体多層膜フィルタ７２の透過特性を示す図である。
【図２１】図１８の液晶表示装置における誘電体多層膜フィルタ７３の透過特性を示す図である。
【図２２】従来の生体リズム調整装置を説明するための図である。
【図１】
2006231057.tif 000004
【図２】
2006231057.tif 000005
【図３】
2006231057.tif 000006
【図４】
2006231057.tif 000007
【図５】
2006231057.tif 000008
【図６】
2006231057.tif 000009
【図７】
2006231057.tif 000010
【図８】
2006231057.tif 000011
【図９】
2006231057.tif 000012
【図１０】
2006231057.tif 000013
【図１１】
2006231057.tif 000014
【図１２】
2006231057.tif 000015
【図１３】
2006231057.tif 000016
【図１４】
2006231057.tif 000017
【図１５】
2006231057.tif 000018
【図１６】
2006231057.tif 000019
【図１７】
2006231057.tif 000020
【図１８】
2006231057.tif 000021
【図１９】
2006231057.tif 000022
【図２０】
2006231057.tif 000023
【図２１】
2006231057.tif 000024
【図２２】
2006231057.tif 000025
【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
画像を表示する画像表示部に対して、光源からの光を照射することにより画像を表示する表示装置であって、
上記光源は、４４５ｎｍから４８０ｎｍまでの間の波長域の光を発する第１発光体を含み、
使用者を覚醒させる時間を任意に設定するための入力手段と、
上記使用者を覚醒させる時間には、上記波長域の光の強度を強くするよう制御する制御手段とを備えたことを特徴とする表示装置。
【請求項２】
上記第１発光体の発光状態を制御する複数の制御パターンを保持する記憶手段を備え、
上記入力手段は、上記複数の制御パターンの中から一つを選択することで上記使用者を覚醒させる時間を設定するものであることを特徴とする請求項１に記載の表示装置。
【請求項３】
画像を表示する画像表示部に対して、光源からの光を照射することにより画像を表示する表示装置であって、
上記光源は、４４５ｎｍから４８０ｎｍまでの間の波長域の光を発する第１発光体を含み、
使用者を鎮静させる時間を任意に設定するための入力手段と、
上記使用者を鎮静させる時間には、上記波長域の光の強度を弱くするよう制御する制御手段とを備えたことを特徴とする表示装置。
【請求項４】
上記第１発光体の発光状態を制御する複数の制御パターンを保持する記憶手段を備え、
上記入力手段は、上記複数の制御パターンの中から一つを選択することで上記使用者を鎮静させる時間を設定するものであることを特徴とする請求項３に記載の表示装置。
【請求項５】
上記光源は、赤色光を発光する第２発光体と、緑色光を発光する第３発光体とを含んでいることを特徴とする請求項１ないし４のいずれかに記載の表示装置。
【請求項６】
上記光源は、白色光を発光する白色発光体を含んでいることを特徴とする請求項１ないし５のいずれかに記載の表示装置。
【請求項７】
上記第１発光体の発光強度を、他の発光体と独立して切り替え可能であることを特徴とする請求項１ないし６のいずれかに記載の表示装置。
【請求項８】
上記第１発光体の発光色に対して略補色となる光を発光する補色発光体を含んでいることを特徴とする請求項１ないし７のいずれかに記載の表示装置。
【請求項９】
上記第１発光体の発光強度に応じて、上記補色発光体の発光強度を制御することを特徴とする請求項８に記載の表示装置。
【請求項１０】
上記補色発光体は、上記第１発光体と隣り合うように配置されていることを特徴とする請求項８または９に記載の表示装置。
【請求項１１】
上記第１発光体の発光色に対して略補色となる光を発光する蛍光体を含んでいることを特徴とする請求項１ないし１０のいずれかに記載の表示装置。
【請求項１２】
上記光源を構成する発光体のうち少なくとも１つは、発光ダイオードであることを特徴とする請求項１ないし１１のいずれかに記載の表示装置。
【請求項１３】
上記光源を構成する発光体のうち少なくとも１つは、エレクトロルミネッセンスであることを特徴とする請求項１ないし１２のいずれかに記載の表示装置。
【手続補正２】
【補正対象書類名】明細書
【補正対象項目名】００１２
【補正方法】変更
【補正の内容】
【００１２】
上記課題を解決するため、本願の第１の発明は、画像を表示する画像表示部に対して、光源からの光を照射することにより画像を表示する表示装置であって、上記光源が、４４５ｎｍから４８０ｎｍまでの間の波長域の光を発する第１発光体を含み、使用者を覚醒させる時間を任意に設定するための入力手段と、上記使用者を覚醒させる時間には、上記波長域の光の強度を強くするよう制御する制御手段とを備えたことを特徴とする。
【手続補正３】
【補正対象書類名】明細書
【補正対象項目名】００１３
【補正方法】変更
【補正の内容】
【００１３】
本願の第２の発明は、上記第1発光体の発光状態を制御する複数の制御パターンを保持する記憶手段を備え、上記入力手段が、上記複数の制御パターンの中から一つを選択することで上記使用者を覚醒させる時間を設定するものであることを特徴とする。
【手続補正４】
【補正対象書類名】明細書
【補正対象項目名】００１４
【補正方法】変更
【補正の内容】
【００１４】
本願の第３の発明は、画像を表示する画像表示部に対して、光源からの光を照射することにより画像を表示する表示装置であって、上記光源が、４４５ｎｍから４８０ｎｍまでの間の波長域の光を発する第１発光体を含み、使用者を鎮静させる時間を任意に設定するための入力手段と、上記使用者を鎮静させる時間には、上記波長域の光の強度を弱くするよう制御する制御手段とを備えたことを特徴とする。
【手続補正５】
【補正対象書類名】明細書
【補正対象項目名】００１５
【補正方法】変更
【補正の内容】
【００１５】
本願の第４の発明は、上記第1発光体の発光状態を制御する複数の制御パターンを保持する記憶手段を備え、上記入力手段が、上記複数の制御パターンの中から一つを選択することで上記使用者を鎮静させる時間を設定するものであることを特徴とする。
【手続補正６】
【補正対象書類名】明細書
【補正対象項目名】００１６
【補正方法】変更
【補正の内容】
【００１６】
本願の第５の発明は、上記光源が、赤色光を発光する第２発光体と、緑色光を発光する第３発光体とを含んでいることを特徴とする。
【手続補正７】
【補正対象書類名】明細書
【補正対象項目名】００１７
【補正方法】変更
【補正の内容】
【００１７】
本願の第６の発明は、上記光源が、白色光を発光する白色発光体を含んでいることを特徴とする。
【手続補正８】
【補正対象書類名】明細書
【補正対象項目名】００１８
【補正方法】変更
【補正の内容】
【００１８】
本願の第７の発明は、上記第１発光体の発光強度を、他の発光体と独立して切り替え可能であることを特徴とする。
【手続補正９】
【補正対象書類名】明細書
【補正対象項目名】００１９
【補正方法】変更
【補正の内容】
【００１９】
本願の第８の発明は、上記第１発光体の発光色に対して略補色となる光を発光する補色発光体を含んでいることを特徴とする。
本願の第９の発明は、上記第１発光体の発光強度に応じて、上記補色発光体の発光強度を制御することを特徴とする。
本願の第１０の発明は、上記補色発光体が、上記第１発光体と隣り合うように配置されていることを特徴とする。
【手続補正１０】
【補正対象書類名】明細書
【補正対象項目名】００２０
【補正方法】変更
【補正の内容】
【００２０】
本願の第１１の発明は、上記第１発光体の発光色に対して略補色となる光を発光する蛍光体を含んでいることを特徴とする。
【手続補正１１】
【補正対象書類名】明細書
【補正対象項目名】００２１
【補正方法】変更
【補正の内容】
【００２１】
本願の第１２の発明は、上記光源を構成する発光体のうち少なくとも１つが、発光ダイオードであることを特徴とする。
本願の第１３の発明は、上記光源を構成する発光体のうち少なくとも１つが、エレクトロルミネッセンスであることを特徴とする。